(57)【特許請求の範囲】
【請求項１】
電柱上部の前後から来る２本の電線端部間に架設された縁回し線に被着する保護カバーであって、可撓性を有する合成樹脂により成形される筒状のカバー本体からなり、該カバー本体の外周面の一側に長手方向に沿って拡開自在に分割される切り込みを設けた縁回し線の保護カバーと、
前記縁回し線に取着され該縁回し線と前記保護カバーの内周面との間を該保護カバーの外周面に針金が接触しても地絡しないように所定の間隔離して保持するスペーサであって、合成樹脂により成形され前記カバー本体の内径より小さい外径を有し外周面の一側が分離されると共に内側へ弧状に湾曲する延長片部を延設した環状枠からなり、前記延長片部の先端に前記環状枠の中央に位置して前記縁周り線に嵌着する円弧状の把持部を一体に設け、前記環状枠における前記分離部に対し該環状枠の中央を挟んだ反対側の位置と前記延長片部との外側面に前記カバー本体の内周面に当接する支持片部を突設したスペーサと、
から構成されるスペーサを備えた縁回し線の保護カバー。
【請求項２】
前記スペーサは、一方の前記延長片部の先端に小径把持部が一体に設けられ、他方の前記延長片部の先端に大径把持部が一体に設けられる請求項１記載のスペーサを備えた縁回し線の保護カバー。
【発明の詳細な説明】
【０００１】
【発明の属する技術分野】
本発明は、縁回し線が架設される電柱上部に鳥類が営巣することにより起る地絡事故を防止するスペーサを備えた縁回し線の保護カバーに関するものである。
【０００２】
ここで、縁回し線とは、電線（本線）が架設される電柱において、該電柱の前後から来る２本の電線の端部をそれぞれ電柱に係留されるクランプに係止した後、両クランプ間に差し渡して相互に電線を接続するための引回し線をいい、縁回し線は一般的に腕金に立設したピン碍子にバインド線を使用して引留めるようにしている。前記各クランプにおける電線と縁回し線の接続部分は通常クランプカバーで覆われている。
【０００３】
【従来の技術】
従来、このように縁回し線を架設した電柱上部にはしばしばカラスなどの鳥類が営巣することが有る。
【０００４】
【発明が解決しようとする課題】
しかしながら、近時、前記営巣材料の中に針金のような金属材料が混入する場合が有り、この針金が縁回し線および、これらを接続する部分のカバー等に接触して地絡事故が多く発生している。
【０００５】
そこで、本発明は上記課題を解決すべくなされたもので、縁回し線とこの縁回し線を引留めるピン碍子に装着したバインド線を被着することにより地絡事故を確実に防止するようにしたスペーサを備えた縁回し線の保護カバーを提供することを目的とするものである。
【０００６】
【課題を解決するための手段】
かかる目的を達成するため、本発明に係る縁回し線の保護カバーは、電柱上部の前後から来る２本の電線端部間に架設された縁回し線に被着する保護カバーであって、可撓性を有する合成樹脂により成形される筒状のカバー本体からなり、該カバー本体の外周面の一側に長手方向に沿って拡開自在に分割される切り込みを設け、縁回し線とカバー本体の内周面とはその間がスペーサにより所定間隔離れて保持されている構成とする。カバー本体は可撓性であって好ましくは難燃性の合成樹脂、例えば難燃性ポリエチレンが良い。このように可撓性の合成樹脂を用いることにより縁回し線が湾曲していてもその形状に良く馴じみ、しかも縁回し線とカバー本体の内周面とはカバー本体の外周面に営巣材料である針金が接触しても地絡しないようにその間が所定間隔離れて保持されているので、地絡事故が確実に防止される。
【０００７】
前記スペーサは、前記縁回し線に取着され該縁回し線と前記保護カバーの内周面との間を該保護カバーの外周面に針金が接触しても地絡しないように所定の間隔離して保持するスペーサであって、合成樹脂により成形され前記カバー本体の内径より小さい外径を有し外周面の一側が分離されると共に内側へ弧状に湾曲する延長片部を延設した環状枠からなり、前記延長片部の先端に前記環状枠の中央に位置して前記縁周り線に嵌着する円弧状の把持部を一体に設け、前記環状枠における前記分離部に対し該環状枠の中央を挟んだ反対側の位置と前記延長片部との外側面に前記カバー本体の内周面に当接する支持片部を突設した構成とする。この際、一方の前記延長片部の先端に小径把持部が一体に設けられ、他方の前記延長片部の先端に大径把持部が一体に設けられるのが好ましい。
また、縁回し線を引留めるピン碍子に装着されたバインド線の保護カバーは、電柱上部の前後から来る２本の電線端部間に架設された縁回し線を引留めるピン碍子に被着する保護カバーであって、合成樹脂により成形され、ピン碍子のキャップ部と該キャップ部の下方に位置し縁回し線を係留するネック部とに被着する本体カバー部と、該本体カバー部の一側にこれと連通状に設けられ縁回し線が挿通される挿通部とからなり、該挿通部の両端側には請求項１記載の縁回し線の保護カバーが係合して連結される係合部を設けた構成とする。この保護カバーも難燃性の合成樹脂が好ましい。そして、この保護カバーをピン碍子に被着し、更には該ピン碍子前後の縁回し線に被着された保護カバーを挿通部の両端に係合して連結するようにすれば、ピン碍子を含めその前後の縁回り線をも全部覆うことができ、これにより地絡事故の防止がより完全なものとなる。
【０００８】
【発明の実施の形態】
以下、本発明に係るスペーサを備えた縁回し線の保護カバーの実施の形態を図面と共に説明する。図１は縁回し線の保護カバーの斜視図、図２は図１のＸ−Ｘ線断面図である。図において、１は可撓性かつ難燃性を有する合成樹脂、例えば難燃性ポリエチレンであって、しかも耐候性を有した目立たない色により横長筒状に成形されるカバー本体であり、その外周壁は断面弧状の凹凸を繰り返して蛇腹状に成形され、自在に屈曲できるようになっている。該カバー本体１の両端面は蓋板部２により覆われ、各蓋板部２にそれぞれ円形の透孔３が開設される。４は各蓋板部２の上側であって各透孔３，３の外周縁に設けられる切欠状の係合凹部である。これら透孔３，３と係合凹部４は後記するピン碍子Ｃに連結するためのものである。
【０００９】
また、前記カバー本体１の外周面の一側すなわち下端部に長手方向に沿って拡開自在に分割される切り込み５が設けられ、分割端縁の一方の内側に他方の内周面に上から重なる重合辺部６が延設される。前記各分割端縁には適宜間隔置きに下方へ伸びる突出片７，７が対向して突設され、該各突出片７，７に連通状に開設された係止孔８，８に結合ピン９を挿通して連結することにより切り込み５が無用に開かないようになる。
【００１０】
更に、前記カバー本体１の内径は、後記する縁回し線Ｗに被着したとき、カバー本体１の外周面に営巣材料である針金が接触しても地絡しない範囲で選ばれ、縁回し線Ｗの被着部分の長さによってはカバー本体１を途中で切断して使用する。
【００１１】
１０は、縁回し線Ｗに取着して、該縁回し線Ｗに被着したカバー本体１の内周面と縁回し線Ｗとの間が所定間隔離れて保持されるようにするためのスペーサであり、合成樹脂により成形されている。該スペーサ１０は、図３に示すように前記カバー本体１の内径より僅かに小さい外径を有した環状枠１１からなり、該環状枠１１における外周面の一側すなわち下端部は分離されると共に互いに内側へ弧状に湾曲する延長片部１１ａ，１１ｂが延設される。そして、一方の延長片部１１ａの先端に環状枠１１のほぼ中央に位置して縁回し線Ｗに嵌着する円弧状の小径把持部１２が一体に設けられ、また他方の延長片部１１ｂの先端に同じくほぼ中央に位置して円弧状の大径把持部１３が一体に設けられている。このように二種類の小径・大径把持部１２，１３を設けたのは太さの異なる縁回し線Ｗのいずれにも対応して使用できるようにするためである。また、環状枠１１における前記分離部に対し該環状枠の中央を挟んだ反対側の位置すなわち上部中央と各延長片部１１ａ，１１ｂとの外側面にそれぞれ内周壁に当接してカバー本体１を支持する支持片部１４が突設されている。１１ｃは、環状枠１１内側の隙間にほぼ同心円状に配設され、その隙間から鳥などの小動物が通過して中に入らないようにするための邪魔枠である。
【００１２】
Ｂは、縁回し線Ｗが引留められるピン碍子Ｃに装着されているバインド線の保護カバーであり、前記と同様に難燃性の合成樹脂、例えば難燃性のポリエチレンであって耐候性を有した目立たない色により成形される。該ピン碍子の保護カバーＢは、図４，図５に示されるようにピン碍子Ｃのキャップ部Ｃ１と該キャップ部Ｃ１の下方に位置し縁回し線Ｗを引留めるネック部Ｃ２とに被着する空胴状の本体カバー部１５を有し、下端面は被着し得るように開口されている。また、本体カバー部１５の一側にその内部空間１６と連通し縁回し線Ｗが挿通される水平な挿通部１７が一体に設けられる。
【００１３】
前記挿通部１７は両端が開口した円筒状をなし、その長手方向に沿った左・右半挿通部１７ａ，１７ｂとに２分割される。そして、各上端縁に、互いに接合する断面ヤジリ状の軸支片１８ａ，１８ｂが突設され、一方の軸支片１８ａ内面の複数の係合突起１９が他方の軸支片１８ｂ内面の複数の係合凹部２０に係合して両軸支片１８ａ，１８ｂのずれを防止するようにしてる。更に、図９に示されるように両軸支片１８ａ，１８ｂを接合した状態で、その外側を包むようにして蝶着部材２１が嵌着されている。これにより、ヒンジ部２２が成形され、該ヒンジ部２２を介して一方の左半挿通部１７ｂの下側が自在に開閉される。
【００１４】
前記挿通部１７の外径は前記カバー本体１の透孔３の内径とほぼ合致するように設定され、挿通部１７の両端外周縁に前記透孔３に係合する係合部としての雁首状の環状鍔部２３が周設されている。なお、前記本体カバー部１５と挿通部１７との外側一側に、それぞれ左半挿通部１７ｂを開いてピン碍子の保護カバーＢをピン碍子Ｃに被着し易いうようにするための把持片２４が突設されている。
【００１５】
本発明は上記構成よりなり、縁回し線とこの縁回し線を引留めるピン碍子に装着されているバインド線の保護カバーの使用について説明する。図６に示されるように電柱Ｐには、通常その上部に腕金Ｒが固設されている。また、該腕金Ｒに取付金具Ｓが直交状に取着され、その両端に耐張碍子Ｇ及びクランプＫを介して電柱Ｐの前後から来る２本の電線Ｅ，Ｅの端部が係留される。そして、前後のクランプＫ，Ｋ間に相互の電線を接続するための縁回し線Ｗが差し渡されている。該縁回し線Ｗはそのほぼ中央を前記腕金Ｒの上面に立設したピン碍子Ｃに引留めるようにしている。
【００１６】
そこで、図７，図９に示されるように、まずピン碍子の保護カバーＢを、両把持片２４，２４を指で摘んで挿通部１７を開きつつ該挿通部１７を縁回し線Ｗに被着すると共に本体カバー部１５を下端開口からピン碍子Ｃに被着する。
次に、図８，図９に示されるようにピン碍子Ｃ前後の縁回し線Ｗに下端部を押し込み、小径把持部１２を嵌着することにより複数のスペーサ１０を取着する。縁回し線がこれより太い時は大径把持部１３を使用する。そして、各スペーサ１０を覆うようにしてカバー本体１を分割縁で拡開し縁回し線Ｗに縁回し線の保護カバーＡを被着する。
【００１７】
この際、両カバー本体１の向き合う透孔３，３を挿通部１７の両端に環状鍔部２３が内側にかつ各係合凹部４，４がヒンジ部２２に位置するようにして嵌合し、各突出片７，７の係止孔８，８に結合ピン９を挿通して結合する。これにより図９に示されるように各スペーサ１０の上または下の支持片部１４が各カバー本体１の内周壁を支持して、該各カバー本体１が縁回し線Ｗとその内周面との間に所定間隔を離して保持される。
【００１８】
また、ピン碍子の保護カバーＢの前後に縁回し線の保護カバーＡ，Ａが連結されるので、ピン碍子Ｃ及びその前後の縁回し線Ｗ，Ｗ全体が一連に被覆され、営巣材料である針金が接触して起る地絡事故が広い範囲で確実に防止できる。仮にピン碍子Ｃがない場合は、前記縁回し線の保護カバーＡ単独でも使用できること勿論であり、地絡事故の防止機能を充分に発揮することができる。
【００１９】
なお、本実施の形態にあっては縁回し線の保護カバーＡをスペーサ１０を介して縁回し線Ｗに被覆するようにしているが、該スペーサ１０の替りに同じ機能を持つ支持部材をカバー本体１と一体に成形するようにしても良く、これにより成形が簡単で、取付作業も迅速かつ容易に行なえるようになる。
【００２０】
【発明の効果】
以上述べたように本発明に係るスペーサを備えた縁回し線の保護カバーは、電柱上部に架設された縁回し線に被着する保護カバーであって、可撓性の合成樹脂により筒状に成形されるので、湾曲する縁回し線であっても良く馴じむ。しかも、縁回し線とカバー本体の内周面とはその間がスペーサにより所定間隔離れて保持される構成としたので、営巣材料である針金が保護カバーに触れても縁回し線との距離が充分に保たれ、地絡事故が確実に防止される。
【００２１】
また、ピン碍子の保護カバーを使用し、該保護カバーをピン碍子に被着すると共にその前後に縁回し線の保護カバーを連結するようにすれば、ピン碍子を含めその前後の縁回り線をも全部覆うことができ、これによっても地絡事故が確実に防止される。
【図面の簡単な説明】
【図１】  縁回し線の保護カバーの斜視図。
【図２】  図１のＸ−Ｘ線断面図。
【図３】  スペーサの斜視図。
【図４】  ピン碍子の保護カバーの斜視図。
【図５】  同裏面から見た斜視図。
【図６】  両保護カバーの使用状態の斜視図。
【図７】  同要部拡大正面断面図。
【図８】  図７のＹ−Ｙ線断面図。
【図９】  図７のＺ−Ｚ線断面図。
【符号の説明】
１                カバー本体
５                切り込み
１０              スペーサ
１１              環状枠
１１ａ            延長片部
１１ｂ            延長片部
１２              小径把持部
１３              大径把持部
１４              支持片部
１５              本体カバー部
１７              挿通部
２２              ヒンジ部
２３              係合部（環状鍔部）
Ａ                縁回し線の保護カバー
Ｂ                ピン碍子の保護カバー
Ｃ                ピン碍子
Ｃ１              キャップ部
Ｃ２              ネック部
Ｅ                電線
Ｐ                電柱
Ｗ                縁回し線
【図１】
0004336411.tif 000002
【図２】
0004336411.tif 000003
【図３】
0004336411.tif 000004
【図４】
0004336411.tif 000005
【図５】
0004336411.tif 000006
【図６】
0004336411.tif 000007
【図７】
0004336411.tif 000008
【図８】
0004336411.tif 000009
【図９】
0004336411.tif 000010